(57)【要約】【課題】図柄制御装置へのコマンドに化け等の異常が生じたことによる、抽選は外れで表示は大当りという誤動作を回避し、遊技者の信頼感を損なうことを防止する。【解決手段】大当り抽選の結果に直接又は間接的に対応する２つのコマンドＣ１，Ｃ２を受信し、両コマンドに応じた大当り又は外れの演出画像を図柄表示装置４に表示させる図柄制御装置２３を備えた遊技機において、２つのコマンドＣ１，Ｃ２間の整合性の有無を、各コマンドの大当り抽選の結果との対応関係に基づいて判定する整合性判定手段２３ｂを設ける。この判定手段により整合性なし（化け等の異常が発生）と判定されたときには図柄表示装置４に大当り抽選結果が外れの演出画像を表示させる。化け等の異常発生に対しては、抽選結果が外れの演出画像を表示させ、遊技者に誤解を生じさせないようにした。【選択図】        図２
2004337511.tif 000002
【特許請求の範囲】
【請求項１】
遊技盤面上に設けられた、始動入賞口及び作動時に他の入賞口よりも入賞が容易な形態になる大入賞口と、
前記始動入賞口への遊技球の入賞に応じて大当り又は外れの抽選をし、該抽選結果に各々直接又は間接的に対応する複数種類のコマンドを生成し、かつ抽選結果が大当りであれば前記大入賞口を作動させる制御手段と、
該制御手段から前記複数種類のコマンドを受信し、該複数種類のコマンドに応じた大当り又は外れの演出動作を演出出力装置に行わせる演出動作制御装置とを備えた遊技機において、
前記演出動作制御装置は、前記複数種類のコマンド間の整合性の有無を各コマンドの前記抽選結果との対応関係に基づいて判定する整合性判定手段を備え、該整合性判定手段により整合性なしとの判定結果が得られたときには前記演出出力装置に前記抽選の結果が外れである旨の演出動作を行わせることを特徴とする遊技機。
【請求項２】
遊技盤面上に設けられた、始動入賞口及び作動時に他の入賞口よりも入賞が容易な形態になる大入賞口と、
前記始動入賞口への遊技球の入賞に応じて大当り又は外れの抽選をし、該抽選結果に各々直接又は間接的に対応する第１コマンド及び第２コマンドを生成し、かつ抽選結果が大当りであれば前記大入賞口を作動させる主制御装置と、
該主制御装置から前記第１コマンド及び第２コマンドを受信し、これら第１、第２コマンドに応じた大当り又は外れの演出画像を図柄表示装置に表示させる図柄制御装置とを備えた遊技機において、
前記図柄制御装置は、前記第１、第２コマンド間の整合性の有無を各コマンドの前記抽選結果との対応関係に基づいて判定する整合性判定手段を備え、該整合性判定手段により整合性なしとの判定結果が得られたときには前記図柄表示装置に前記抽選の結果が外れである旨の演出画像を表示させることを特徴とする遊技機。
【発明の詳細な説明】
【０００１】
【発明の属する技術分野】
本発明は、大当り又は外れの抽選結果に応じて生成されるコマンドを受けた図柄制御装置等の演出動作制御装置が、そのコマンドに従った演出画像表示等の演出動作を図柄表示装置等の演出出力装置に行わせる遊技機に関するものである。
【０００２】
【従来の技術】
データ通信においては、送信されたデータがその伝送途中でノイズ等の影響を受け、異なった内容に変わってしまうこと（以下、これを化けという。）がある。
近年の遊技機、例えばパチンコ機においても、デジタル制御化が進んでいる関係上、パチンコ機全体を制御する主制御装置から種々の演出画像を表示する図柄表示装置への制御コマンド（データ）についても、化けを生じることがある。
【０００３】
いま、大当りか外れかの抽選（大当り抽選）が主制御装置で行われ、その結果に応じて生成される制御コマンドを図柄表示装置が受け、そのコマンドに従った演出画像表示を行うパチンコ機において、上記制御コマンドに化けが生じると、図柄表示装置は抽選結果とは無関係の演出画像を表示する。
具体例を述べると、上記抽選結果は、大当り、外れのいずれかであるので、上記化けによって制御コマンドの内容が大当りから外れに、あるいは外れから大当りに変わってしまうことがある。例えば、大当りから外れに変わると、図柄表示装置は、本来、大当りの演出画像を表示するところを、外れの演出画像を表示することになる。また、外れから大当りに変わると、図柄表示装置は、逆に、外れの演出画像を表示するところを、大当りの演出画像を表示することになる。
【０００４】
主制御装置には、図柄表示装置以外にも、効果音発生装置、ランプ制御装置、賞球払出制御装置、あるいは大入賞口作動ソレノイド等、抽選結果別に異なる動作をする装置が接続されている。このような構成において、図柄表示装置への制御コマンドに化けが生じたからといって、例えば賞球払出制御装置や大入賞口作動ソレノイドへの信号にも化けや変動が生じるとは限らない。特に、制御内容（大当り制御から外れ制御、又は外れ制御から大当り制御）まで一致するような化けや変動の発生は、むしろ稀であると考えられる。
このため、図柄表示装置では外れの演出画像が表示されたにも拘わらず大入賞口が開き、多くの賞球が得られる大当り動作が行われたり、逆に、大当りの演出画像が表示されたにも拘わらず大入賞口が開かず、したがって多数の賞球が得られることもない、外れ動作が行われることがある。
【０００５】
前者の、外れの演出画像が表示されたにも拘わらず大入賞口が開くという大当り動作が行われた場合には、遊技者にとって不利益はないので余り問題とはならない。しかし後者の、大当りの演出画像が表示されたにも拘わらず大入賞口が開かないという外れ動作（抽選外れ・表示大当り動作）となった場合には、大きな問題となる。遊技者は、通常、図柄表示装置の演出画像を信頼して遊技しており、この演出画像が大当りを表示したにも拘わらずそれに応じた大当り動作、つまり大入賞口の開放等が行われないので不信感をもち、のみならず、多数の賞球を得られるはずであったが得られないという、多大な損失感を伴うからである。
【０００６】
そこで、主制御装置からの抽選結果に基づく制御コマンドに化けが生じた場合の安全対策としては、従来、制御コマンド（信号）にイネーブル信号を付加して図柄表示装置に送信し、図柄表示装置側においてイネーブル信号で許可された受信信号中に異常が見つかれば、その受信信号を破棄するという方法がある（例えば、特許文献１参照）。
なお、誤り訂正符号を用いた誤り訂正方式を採用することが上記安全対策として好ましいが、種々の制約からより簡易な安全対策が求められている。
【０００７】
【特許文献１】
特開２００２−４５５３７号公報
【０００８】
【発明が解決しようとする課題】
上記従来技術では、次のような問題点があった。
すなわち、図柄表示装置においては、主制御装置からの制御コマンドが予め登録されている有効なコマンド（有効登録コマンド）であるか否かのチェックを行う。しかし、イネーブル信号で許可された期間に化けが生じたコマンドがいずれかの有効登録コマンドと一致する場合には、そのコマンドの異常を検出できない。
このため、図柄表示装置で大当りの演出画像が表示されたにも拘わらず大入賞口が開かない、外れ動作（抽選外れ・表示大当り動作）を行うという誤動作を回避できず、遊技者への信頼感を大きく損なう虞があった。また、主制御装置側からは制御コマンド等、一定の信号のみの出力が許容され、イネーブル信号等の付加信号については許容範囲外であるというような場合には、当該安全対策自体を採用することができなかった。
【０００９】
本発明（請求項１）の目的は、制御手段から演出動作制御装置へのコマンドについて、化けが生じたが有効登録コマンドのいずれかと一致しているという場合においても、抽選は外れているが大当りの演出動作がされるという誤動作を回避でき、したがって遊技者の信頼感を損なうことがなく、また、イネーブル信号を用いずに、したがってイネーブル信号等の付加信号の使用が規制されていても、安全対策として適用できる遊技機を提供することにある。
本発明（請求項２）の目的は、特に、主制御装置から図柄制御装置へのコマンドについて、化けが生じたが有効登録コマンドのいずれかと一致しているという場合においても、抽選は外れているが大当り表示されるという誤動作を回避でき、したがって遊技者の信頼感を損なうことがなく、また、イネーブル信号を用いずに、したがってイネーブル信号等の付加信号の使用が規制されていても、安全対策として適用できる遊技機を提供することにある。
【００１０】
【課題を解決するための手段】
上記目的を達成するために、請求項１に記載の発明は、遊技盤面上に設けられた、始動入賞口及び作動時に他の入賞口よりも入賞が容易な形態になる大入賞口と、前記始動入賞口への遊技球の入賞に応じて大当り又は外れの抽選をし、該抽選結果に各々直接又は間接的に対応する複数種類のコマンドを生成し、かつ抽選結果が大当りであれば前記大入賞口を作動させる制御手段と、該制御手段から前記複数種類のコマンドを受信し、該複数種類のコマンドに応じた大当り又は外れの演出動作を演出出力装置に行わせる演出動作制御装置とを備えた遊技機において、前記演出動作制御装置は、前記複数種類のコマンド間の整合性の有無を各コマンドの前記抽選結果との対応関係に基づいて判定する整合性判定手段を備え、該整合性判定手段により整合性なしとの判定結果が得られたときには前記演出出力装置に前記抽選の結果が外れである旨の演出動作を行わせることを特徴とする。
【００１１】
請求項２に記載の発明は、遊技盤面上に設けられた、始動入賞口及び作動時に他の入賞口よりも入賞が容易な形態になる大入賞口と、前記始動入賞口への遊技球の入賞に応じて大当り又は外れの抽選をし、該抽選結果に各々直接又は間接的に対応する第１コマンド及び第２コマンドを生成し、かつ抽選結果が大当りであれば前記大入賞口を作動させる主制御装置と、該主制御装置から前記第１コマンド及び第２コマンドを受信し、これら第１、第２コマンドに応じた大当り又は外れの演出画像を図柄表示装置に表示させる図柄制御装置とを備えた遊技機において、前記図柄制御装置は、前記第１、第２コマンド間の整合性の有無を各コマンドの前記抽選結果との対応関係に基づいて判定する整合性判定手段を備え、該整合性判定手段により整合性なしとの判定結果が得られたときには前記図柄表示装置に前記抽選の結果が外れである旨の演出画像を表示させることを特徴とする。
【００１２】
【発明の実施の形態】
以下、本発明の実施の形態を図面に基づき説明する。なお、各図間において、同一符号は同一又は相当部分を示す。
図１は、本発明による遊技機、ここではパチンコ機の一実施形態の要部を示す正面図である。
この図において、１はパチンコ機（ここでは第１種パチンコ機）の盤面（遊技盤面）であり、この盤面１上には円弧状にレール２が取り付けられており、このレール２の内側には、遊技領域３が形成されている。レール２は、図示しないハンドルの操作により発射された遊技球（図示せず）を盤面１の左側上部から遊技領域３へ送り込むように案内する。
【００１３】
盤面１上には、レール２の他にも種々の盤面構成部品が設けられている。すなわち、盤面１のほぼ中央には液晶表示器等からなる図柄表示装置４が設けられ、その真上には天入賞口５、真下には始動入賞口６が設けられ、また、始動入賞口６の下方には大入賞口７が設けられている。その他、いくつかの入賞口８…、ランプ９等が盤面１上に設けられている。
上記大入賞口７は、開放時（作動時）に、他の入賞口５，６，８…よりも入賞が著しく容易な形態となるように、ここでは入賞開口が著しく大きくなるように構成されている。なお、入賞口というときは入賞口を備える入賞口構成部品をも意味する。
盤面１上のレール２の内側の最下部には、入賞しなかった遊技球が入球するアウト口１０が設けられ、更に、上記各部品４〜９やアウト口１０を避けた適宜箇所には、多数の遊技釘１１（一部のみ図示）が打ち込まれている。なお、盤面１は透明ガラス板（図示せず）により覆われ、遊技球の遊技領域３からの離脱が防止される。
【００１４】
上記図柄表示装置４の画面４ａの表示領域は、所定方向に複数の、ここでは横方向に左、中、右、３つの表示領域ＬＡ，ＣＡ，ＲＡに分けられている。
これら３つの表示領域ＬＡ，ＣＡ，ＲＡには各々図柄Ｌ，Ｃ，Ｒが表示されるが、表示される図柄Ｌ，Ｃ，Ｒは変動可能であり、また、変動開始すると所定時間後に停止するようになされている。このときの表示図柄Ｌ，Ｃ，Ｒは、ここでは３つの表示領域ＬＡ，ＣＡ，ＲＡ共に０〜９までの数字であり、変動時にはこの数字０〜９が繰返し表示される。表示図柄Ｌ，Ｃ，Ｒの変動は、始動入賞口６への遊技球の入賞により、つまり後述始動入賞球センサによる始動入賞球の検出に応じて行われる、大当りか外れかの抽選と共に、又は抽選直後に開始される。
【００１５】
図２は、図１に示したパチンコ機の要部を示すブロック図である。
この図から分かるように、パチンコ機は、入賞球センサ２１…、主制御装置２２及び遊技に係わる種々の演出動作等を制御する演出動作制御装置、ここでは図柄制御装置２３、効果音制御装置２４、ランプ制御装置２５を備えて構成されている。また、大入賞口作動ソレノイド２６及び賞球払出制御装置２７も備えている。
【００１６】
上記入賞球センサ２１は、入賞球を検出するスイッチからなり、図１に示す盤面１に設けられた入賞口５〜８に一対一対応で設けられている。このうち２１ａは、始動入賞口６への入賞球を検出する始動入賞球センサである。
【００１７】
主制御装置（制御手段）２２は、上記制御装置２３〜２５，２７、大入賞口作動ソレノイド２６等（パチンコ機全般）を制御する装置であり、入力ポート２２ａ、ＣＰＵ２２ｂ、出力ポート２２ｃ、ＲＯＭ２２ｄ及びＲＡＭ２２ｅ等を備えてなる。
ＲＯＭ２２ｄには、ＣＰＵ２２ｂが読み込んで実行するパチンコ遊技のプログラム及びこのプログラムの実行時に必要なデータ等が格納されている。ＲＡＭ２２ｅは、上記プログラムの実行時の作業領域等に使用される。
【００１８】
図２に示すように、主制御装置２２には、入賞球センサ２１…（始動入賞球センサ２１ａを含む。）が接続されており、主制御装置２２の入力ポート２２ａは、それら入賞球センサ２１…からの信号を受け、ＣＰＵ２２ｂに与える。
ＣＰＵ２２ｂは、入賞球を検出すると、出力ポート２２ｃを介して図柄制御装置２３、効果音制御装置２４、ランプ制御装置２５や賞球払出制御装置２７等に制御コマンドを出力し、あるいは大入賞口作動ソレノイド２６を作動させ、入賞に対応した遊技処理を行う。
【００１９】
上記図柄制御装置２３は、遊技の演出、進行等のために種々の図柄（画像）をその出力装置、つまり図柄表示装置４に表示させる装置である。また、効果音制御装置２４は、同じく遊技の演出、進行等のために種々の効果音（合成音声を含む。）をその出力装置、つまりスピーカ等の効果音出力装置２４ａから発生させる装置である。更にランプ制御装置２５は、同じく遊技の演出、進行等のために図１に示す盤面１上の種々のランプ（出力装置）９を点消灯させる装置である。大入賞口作動ソレノイド２６は、大当り動作時に作動して大入賞口７を開放させるソレノイドである。賞球払出制御装置２７は、入賞に対応した賞球払出処理を行う装置である。
【００２０】
ここで上記主制御装置２２は、遊技動作中、大当り決定乱数を所定の周期でカウンタ（図示せず）から生成させ、図１に示す始動入賞口６への遊技球入賞時、つまり始動入賞球センサ２１ａが始動入賞球を検出した時に生成された上記乱数の値（乱数値）を取得し、予め設定されている大当り値と比較（大当り抽選）する。そして主制御装置２２は、その乱数値と大当り値とが一致する場合に大当りと判定し、以下に述べる大当り処理をする。
【００２１】
具体的には、図１に示す始動入賞口６に遊技球が入賞すると、主制御装置２２は、始動入賞球センサ２１ａからの信号を受けて、上記大当り抽選をする。同時に、入賞に対する賞球の払出しを行わせるための賞球払出信号を出力すると共に、必要時に図柄変動開始信号を生成し、図柄制御装置２３を介して図柄表示装置４を制御し、その画面４ａの左、中、右表示領域ＬＡ，ＣＡ，ＲＡの各々に表示されている図柄Ｌ，Ｃ，Ｒの変動を開始させる。
【００２２】
この３つの図柄Ｌ，Ｃ，Ｒは、最終的に停止するが、上記大当り抽選結果が大当りであれば、その停止時の図柄Ｌ，Ｃ，Ｒが所定の種類の図柄で揃う大当り図柄表示を行う。ここでは、図柄Ｌ，Ｃ，Ｒとして０〜９までの数字が用いられ、それらが種々の形態で変動し、停止時の図柄Ｌ，Ｃ，Ｒが所定の数字、例えば「７、７、７」で揃う大当り図柄表示を行う（図１参照）。
【００２３】
図柄表示装置４が大当り図柄表示を行う（大当りになる）と大入賞口７が開放し、より多くの入賞、すなわち賞球獲得が実現される。大入賞口７の内部にはＶゾーン７ａがあり、このＶゾーン７ａに遊技球が進入すると更に多くの賞球を獲得することができる。
【００２４】
大当り処理は、図２に示す大入賞口作動ソレノイド２６の作動による上記大入賞口７の開放動作の他、図柄表示装置４、効果音出力装置２４ａ、ランプ９等による種々の演出動作（画像表示、効果音発生、ランプ点消灯動作）や賞球払出制御装置２７による賞球払出動作を含む。
【００２５】
ここで、本発明においては、図柄制御装置２３は主制御装置２２からの制御コマンドの化けや上記プログラムのバグ等による誤動作を回避する機能を備えるが、以下、これについて説明する。
すなわち主制御装置２２は、上述したように始動入賞球センサ２１ａからの信号を受けて、大当り抽選（大当りか外れかの抽選）をする。そして主制御装置２２は、その抽選結果に各々直接又は間接的に対応する複数種類の制御コマンド、例えば図柄変動パターンコマンド（第１コマンド）Ｃ１及び停止図柄指定コマンド（第２コマンド）Ｃ２を図柄制御装置２３に送信し、この図柄制御装置２３は両コマンドＣ１，Ｃ２に応じた図柄変動、停止動作（当り又は外れの演出画像表示）を図柄表示装置４に行わせる。
【００２６】
上記図柄変動パターンコマンドＣ１は、図柄表示装置４に表示される図柄Ｌ，Ｃ，Ｒの変動時間・停止順序、及び停止図柄の組合せが大当りに係るものとするか否か等からなる図柄変動パターンＰを指定するコマンドである。また停止図柄指定コマンドＣ２は、図柄変動後に停止する図柄Ｌ，Ｃ，Ｒの組合せＣＢを具体的に指定するコマンドである。
上記図柄変動パターンＰは、多種類、例えば４０種類程度の中から大当り抽選の結果に応じて抽選（図柄変動パターン抽選）により決定され、この決定された図柄変動パターンＰ（Ｐ１又はＰ２）が図柄変動パターンコマンドＣ１の内容をなす。
また、停止図柄の組合せＣＢも、多種類の中から大当り抽選の結果に応じて抽選（停止図柄抽選）により、又は図柄変動パターン抽選により決定された図柄変動パターンＰに応じて（大当り抽選結果とは間接的な対応関係をもって）決定される。いずれにせよ、上記大当り抽選結果が大当りであれば図柄Ｌ，Ｃ，Ｒがいずれかの種類で全て揃った図柄の組合せＣＢ１が決定され、大当り抽選結果が外れであればそれ（全図柄が同一種類で揃っている組合せ）以外の図柄の組合せＣＢ２が決定され、この決定された停止図柄の組合せＣＢ（ＣＢ１又はＣＢ２）が停止図柄指定コマンドＣ２の内容をなす。
このように、図柄変動パターンＰ及び停止図柄の組合せＣＢ共に、大当り抽選の結果に従属して（直接又は間接的に対応して）決定されている。したがって、各々の決定の規則を例えばテーブルとして図柄制御装置２３に備えておけば、図柄変動パターンコマンドＣ１と停止図柄指定コマンドＣ２間の整合性の有無を、各コマンドＣ１，Ｃ２の大当り抽選結果との対応関係に基づいて判定できる。
【００２７】
例えば、大当り抽選結果が大当りであれば図柄変動パターンＮｏ．（番号）０〜Ｎｏ．１５中のいずれかの図柄変動パターンＮｏ．の図柄変動パターンＰ１（＝Ｐ１００〜Ｐ１１５）が、大当り抽選結果が外れであれば図柄変動パターンＮｏ．１６〜Ｎｏ．４０中のいずれかの図柄変動パターンＮｏ．の図柄変動パターンＰ２（＝Ｐ２１６〜Ｐ２４０）が、各々図柄変動パターン抽選により決定されるとする。
これによると、停止図柄指定コマンドＣ２の内容（停止図柄の組合せＣＢの種類）につき、全図柄が同一種類で揃っている組合せＣＢ１であれば、図柄変動パターンコマンドＣ１の内容（図柄変動パターンＰの種類）は必ず図柄変動パターンＰ１（＝Ｐ１００〜Ｐ１１５中のいずれか）となる。また、それ以外の組合せＣＢ２であれば、図柄変動パターンコマンドＣ１の内容（同上）は必ず図柄変動パターンＰ２（＝Ｐ２１６〜Ｐ２４０中のいずれか）となる。したがって、両コマンドＣ１，Ｃ２間にこのような関係（規則性）があるか否かを判定すれば、両コマンドＣ１，Ｃ２間の整合性の有無を判定できる。
このような例における整合性有無の判定用テーブルの概略を示せば、図３の通りである。この図において、停止図柄指定コマンドＣ２の内容（停止図柄の組合せＣＢの種類）がＣＢ１の場合に、図柄変動パターンコマンドＣ１の内容（図柄変動パターンＰの種類）がＰ１、つまりＰ１００〜Ｐ１１５中のいずれか（コマンドＣ１，Ｃ２が共に大当りに対応するもの）であれば、両コマンドＣ１，Ｃ２は整合、それ以外は不整合と判定される。あるいは、停止図柄指定コマンドＣ２の内容（停止図柄の組合せＣＢの種類）がＣＢ２の場合に、図柄変動パターンコマンドＣ１の内容（図柄変動パターンＰの種類）がＰ２、つまりＰ２１６〜Ｐ２４０中のいずれか（コマンドＣ１，Ｃ２が共に外れに対応するもの）であれば、両コマンドＣ１，Ｃ２は整合、それ以外は不整合と判定される。
【００２８】
本発明において、図柄制御装置２３は、図柄表示装置４に対して通常の制御を行う図柄制御装置本体２３ａに加え、上記のような図柄変動パターンコマンドＣ１及び停止図柄指定コマンドＣ２間の整合性の有無を判定する整合性判定手段２３ｂを備える。また図柄制御装置２３は、このような整合性判定手段２３ｂによって、両コマンドＣ１，Ｃ２間に整合性なし（化け等の異常が発生）との判定結果が得られたときには、図柄表示装置４に上記大当り抽選の結果が外れである旨の演出画像を表示させる。
【００２９】
図４は、このような図柄制御装置２３のコマンド処理、特に整合性判定手段２３ｂにおける図柄変動パターンコマンドＣ１及び停止図柄指定コマンドＣ２間の整合性の有無の判定と、この判定結果に対する図柄制御装置２３における処理手順の一例を示すフローチャートである。
以下、この図４について図２，図３を併用しつつ説明する。なお、主制御装置２２による大当り抽選、制御装置２３〜２５，２７へのコマンドＣ１，Ｃ２等の各種制御コマンドの生成・送信、大入賞口作動ソレノイド２６の作動信号の出力等の動作は通常のパチンコ機と特に変わるところはないので、ここではその説明を省略する。
【００３０】
まず、図４中のステップ３０１、３０２において、図柄制御装置２３は主制御装置２２からの図柄変動パターンコマンドＣ１及び停止図柄指定コマンドＣ２を受信する。
ステップ３０３では、図柄変動パターンコマンドＣ１が大当り（抽選結果）に対応するものであるか否かを、例えば図３に示すテーブル３１を用いて判定する。大当りに対応するものであればステップ３０４に、そうでなければステップ３０５に移る。
ステップ３０４では、停止図柄指定コマンドＣ２が大当り（抽選結果）に対応するものであるか否かを、上記テーブル３１を用いて判定する。大当りに対応するものであればステップ３０６に、そうでなければステップ３０７に移る。
ステップ３０５では、停止図柄指定コマンドＣ２が外れ（抽選結果）に対応するものであるか否かを、上記テーブル３１を用いて判定する。外れに対応するものであればステップ３０８に、そうでなければステップ３０７に移る。
【００３１】
ステップ３０６、３０７及び３０８は、各々図柄表示装置４に所定の演出画像を表示させるステップであり、このうちステップ３０６では通常の大当り演出画像を、ステップ３０７では特殊の外れ演出画像を、ステップ３０８では通常の外れ演出画像を表示させる。
つまり、図柄変動パターンコマンドＣ１及び停止図柄指定コマンドＣ２の大当り抽選結果との対応関係が大当りで一致していて、大当り抽選結果が大当りであったと推測できる場合には、図柄表示装置４に通常の大当り演出画像を表示させる（ステップ３０３→３０４→３０６）。
また、図柄変動パターンコマンドＣ１の大当り抽選結果との対応関係が大当りでなく、かつ停止図柄指定コマンドＣ２の大当り抽選結果との対応関係が外れである場合、換言すれば両コマンドＣ１，Ｃ２の大当り抽選結果との対応関係が外れで一致していて、大当り抽選結果が外れであったと推測できる場合には、図柄表示装置４に通常の外れ演出画像を表示させる（ステップ３０３→３０５→３０８）。
【００３２】
更に、図柄変動パターンコマンドＣ１の大当り抽選結果との対応関係が大当りであって、停止図柄指定コマンドＣ２の大当り抽選結果との対応関係が大当りでない場合には、図柄表示装置４に特殊の外れ演出画像を表示させる（ステップ３０３→３０４→３０７）。また、図柄変動パターンコマンドＣ１の大当り抽選結果との対応関係が大当りでなく、かつ停止図柄指定コマンドＣ２の大当り抽選結果との対応関係が外れでない場合にも図柄表示装置４に特殊の外れ演出画像を表示させる（ステップ３０３→３０５→３０７）。いずれの場合も、両コマンドＣ１，Ｃ２の大当り抽選結果（大当り／外れ）との対応関係に不一致が生じているからである。
【００３３】
この不一致は、図柄制御装置２３が受信するコマンドＣ１，Ｃ２に化けが生じていたり、主制御装置２２の実行プログラムにバグがあること等に起因すると考えられる。いずれにしてもこのような不一致が生じた場合、真の大当り抽選結果は、見かけ上、演出画像表示後に大入賞口が開くか否か等でしか知り得ない。しかし、大当り／外れの演出画像はその前に表示されるものであり、もしこのときに当り演出画像を表示させてしまうと、真の大当り抽選結果が外れであった場合に、当り演出画像が表示されていながら大入賞口７（図１参照）が開かないという事態を引き起こし、遊技者は不信感をもつことになる。そこで、このような場合には、真の大当り抽選結果の如何に拘わらず、図柄表示装置４には外れ演出画像を表示させるようにした。
このようにすると、真の大当り抽選結果が大当りであった場合には、外れの演出画像が表示されていても大入賞口７（図１参照）が開くことになるが、遊技者にとって不利益はないので余り問題とはならない。
【００３４】
また、受信したコマンドに化けが生じたが前述有効登録コマンドのいずれかと一致している場合についても、ここでは２つのコマンドＣ１，Ｃ２間の整合性の有無を各コマンドＣ１，Ｃ２の大当り抽選結果との対応関係に基づいて判定している。したがって、大当りの演出画像が表示されたにも拘わらず大入賞口が開かないという外れ動作（抽選外れ・表示大当り動作）を充分回避できる。
ステップ３０７において、特殊の外れ演出画像を表示させるのは、上記不一致が生じた場合に表示される外れ演出画像を通常の外れ演出画像から容易に区別できるようにするためである。
なお、ステップ３０３〜３０５は、図柄制御装置２３の整合性判定手段２３ｂとしての中心をなす処理ステップである。
【００３５】
ステップ３０６、３０７又は３０８の実行後は、ステップ３０９に移る。
ステップ３０９では、主制御装置２２からの図柄停止コマンド（図示せず）を受けて各図柄を停止させる。停止時の各図柄は停止図柄指定コマンドＣ２に従った図柄となることは勿論である。
【００３６】
なお上述実施形態では、整合性判定手段を図柄制御装置に設けた場合について述べたが、他の演出動作制御装置、例えば効果音制御装置やランプ制御装置に設け、効果音出力装置やランプの誤動作を回避するようにしてもよい。
また上述実施形態では、２つのコマンド間についての整合性判定を行う場合について述べたが、３つ以上のコマンド間についての整合性判定を行うようにしてもよい。２つのコマンド間についての整合性判定を行う場合においても、２つのコマンドが図柄変動パターンコマンド及び停止図柄指定コマンドである場合のみに限定されることもない。例えば図柄変動パターンに派生する予告表示等のコマンドを含めた複数のコマンド間についての整合性判定を行うようにしてもよい。
【００３７】
【発明の効果】
請求項１に記載の発明によれば、制御手段から演出動作制御装置へのコマンドについて、化けが生じたが有効登録コマンドのいずれかと一致しているという場合においても、抽選は外れているが大当りの演出動作がされるという誤動作を回避でき、したがって遊技者の信頼感を損なうことが防止できる。また、イネーブル信号を用いずに、したがってイネーブル信号等の付加信号の使用が規制されていても、安全対策として適用できる。
また請求項２に記載の発明によれば、特に、主制御装置から図柄制御装置へのコマンドについて、化けが生じたが有効登録コマンドのいずれかと一致しているという場合においても、抽選は外れているが大当り表示されるという誤動作を回避でき、したがって遊技者の信頼感を損なうことが防止できる。また、イネーブル信号を用いずに、したがってイネーブル信号等の付加信号の使用が規制されていても、安全対策として適用できる。
遊技者は、通常、図柄表示装置の演出画像を信頼して遊技しているので、この図柄表示装置で大当りの演出画像が表示されたにも拘わらず大入賞口が開かないという誤動作は極力避けなければならない。請求項２に記載の発明は、特にこのような誤動作を回避することができ、遊技機における有用性は極めて高い。
なお、いずれの請求項に記載の発明においても、整合性判定手段は、化け以外の異常、例えば制御手段、主制御装置の実行プログラムのバグに対しても機能する。したがって、このようなバグに起因する場合であっても、抽選は外れているが大当り表示されるという誤動作を回避できる。
【図面の簡単な説明】
【図１】本発明が適用されたパチンコ機の一実施形態の要部を示す正面図である。
【図２】同上パチンコ機の要部を示すブロック図である。
【図３】図２中の図柄制御装置が受信する２つのコマンド間の整合性の有無を判定するテーブルの説明図である。
【図４】同上図柄制御装置における処理手順の一例を示すフローチャートである。
【符号の説明】
１  遊技盤面
４  図柄表示装置
６  始動入賞口
７  大入賞口
２２  主制御装置（制御手段）
２３  図柄制御装置
２３ａ  図柄制御装置本体
２３ｂ  整合性判定手段
【図１】
2004337511.tif 000003
【図２】
2004337511.tif 000004
【図３】
2004337511.tif 000005
【図４】
2004337511.tif 000006